(57)【要約】      （修正有）【課題】設置、撤収が容易な幟旗を具現するために用いられるポールトップのジョイントを提供する。【解決手段】幟旗の支柱１先端部に装着するポールトップ５が具備するジョイント５０であって、ジョイントは、ポールトップ取付部支持部材４と一体に基台５に形成された左右１対に対向する側壁部５２と側壁部に挿設した回動体５３とよりなり、基台は、ポールトップ取付部支持部材の中心位置上部に載置され、第１制止部５３１ａ及び第２制止部を備える。側壁部は、側壁面中央において、圧入された支軸５４を備え、回動体は、第１爪部５３１、第２爪部５３２及び横竿保持部５３３並びに支軸の先端部分が緩挿される支軸止まり穴を有し、支軸によって回動可能に軸支され、横竿保持部は、横竿を挿入し保持する横竿止まり穴を備える。横竿止まり穴の中心線が、支軸の軸線と交叉するように配設されることを特徴とする。【選択図】図１
0003198645.tif 000002
【実用新案登録請求の範囲】
【請求項１】
幟旗の支柱先端部に装着するポールトップが具備するジョイントであって、
該ジョイントは、ポールトップ取付部支持部材と一体に基台に形成された左右１対に対向する側壁部と該側壁部に挿設した回動体とよりなり、
前記基台は、前記ポールトップ取付部支持部材の上部中心位置に載置され、
前記側壁部は、側壁面中央において、圧入された支軸を備え、
前記回動体は、横竿保持部および前記支軸の先端部分が緩挿される支軸止まり穴を有し、
前記支軸によって回動可能に軸支され、
前記横竿保持部は、横竿を挿入し保持する横竿止まり穴を備え、前記横竿止まり穴の中心線が、前記支軸の軸線と交叉するように配設されることを特徴とするポールトップのジョイント。
【考案の詳細な説明】
【技術分野】
【０００１】  本考案は、幟旗の支柱先端部に装着するポールトップのジョイントに関する。
【背景技術】
【０００２】  幟旗は、幟旗本体が支柱と支柱に直角に交わる横竿とに支持されているのが一般的である。幟旗は、設置、撤収、運搬、収納が頻繁に繰り返される。横竿は、設置時には、組み立て、撤収時には取り外さなければならない。この作業は、設置者にとって著しくわずらわしく、改善が望まれていた。【０００３】  従来のポールトップは横竿をポールトップに差し込んでキャップを閉める形式が多い。幟旗本体の縦方向のチチ輪を支柱に通し、横方向のチチ輪を横竿に通したのち、横竿をポールトップに差し込んだ後キャップを閉めて固定する方式が実行されてきた。この方式では、チチ輪通しを含む横竿の取扱作業性が悪い。【０００４】  この課題に対して、横竿の取扱作業性を改善するため特許文献１に記載の考案がなされている。支柱取付体に横棒（特許文献１では、横竿を横棒と呼称している）の支持体が回動可能に連結した構造を提示している。しかしながら、横棒の取扱作業性が改善されたとしても、折り畳んだ時、または横棒を立てた時、いずれの場合でも、横棒が回動中心を通らないので、支持体が段差として残り、この段差が、嵩張り、チチ輪通しの邪魔になるという欠点が残る。
【先行技術文献】
【特許文献】
【０００５】
【特許文献１】登録実用新案公報  第３０２５３４３号
【考案の概要】
【考案が解決しようとする課題】
【０００６】  前述の欠点を排除し、前項に掲げた設置時、撤収時の煩わしさの低減、特にチチ輪通し，チチ輪外しの作業の容易さを具現化する要請に応える必要があった。
【課題を解決するための手段】
【０００７】  本考案は、この課題に応えるべく創案されたものである。
本考案のポールトップのジョイントは、幟旗の支柱先端部に嵌設するポールトップが具備するジョイントであって、
該ジョイントは、ポールトップ取付部支持部材と一体に基台に形成された左右１対に対向する側壁部と該側壁部に挿設した回動体とよりなり、前記基台は、前記ポールトップ取付部支持部材の中心位置上部に載置され、前記側壁部は、側壁面中央において、圧入された支軸を備え、前記回動体は、横竿保持部および前記支軸の先端部分が緩挿される支軸止まり穴を有し、前記支軸によって回動可能に軸支され、前記横竿保持部は、横竿を挿入し保持する横竿止まり穴を備え、前記横竿止まり穴の中心線が、前記支軸の軸線と交叉するように配設されることを特徴とする。
【考案の効果】
【０００８】  本考案のポールトップのジョイントは、横竿保持部を備えた回動体を有し、幟旗の設置時は、横竿保持部の中心線を支柱の中心線上近傍まで、垂直に回動体を回動出来るので、チチ輪通しに障害になるものがなく、幟旗本体のチチ輪通しが容易である。幟旗の使用時は、回動体を水平に倒せばよく、幟旗の撤収時は、設置時と同様、横竿保持部の中心線を支柱の中心線上近傍まで、回動体を回動出来るので、チチ輪外しが容易である。また、横竿保持部は、横竿止まり穴を有しているので、横竿は横竿保持部から後ろに抜け出すことはなく、安全である。
【図面の簡単な説明】
【０００９】
【図１】は、本考案ポールトップの正面図である。
【図２】は、横竿保持部の中心線を支柱の中心線上近傍まで垂直に、回動体を回動した本考案ポールトップの正面図である。
【図３】（Ａ）は、ジョイントの平面図であり、（Ｂ）は、図３（Ａ）のＡ−Ａ断面図である。
【図４】（Ａ）は、側壁部の正面図であり、（Ｂ）は、側壁部の右側面図であり、（Ｃ）は、図４（Ｂ）のＡ−Ａ部分断面図である。
【図５】（Ａ）は、回動体の正面図であり、（Ｂ）は、回動体の右側面図である。
【図６】は、図１のＡ−Ａ断面図である。
【図７】は、本考案ポールトップのジョイントを搭載したポールトップ５を幟旗に装着した応用例図である。
【考案を実施するための形態】
【００１０】  本考案のポールトップのジョイントにおいて、横竿の回動中心が、支柱の延長線上にあることおよびチチ輪を通す時邪魔になるものがないことが、本考案の課題解決の基本的概念である。以下構成部品の説明を通してこの概念の実現を裏付ける。
本明細書に記載の寸法は概略値であり、ポールトップのジョイントに用いられる材質は、すべてＡＢＳ樹脂である。横竿６は購入品である。
【実施例】
【００１１】  本考案になるポールトップのジョイントの構成と機能と効果を図面を参照しながら説明する。
図１は、ポールトップ５の使用時の正面図である。  ポールトップ５は支持部材４１よりなる取付部４を介して支柱に嵌設されるが、その部分は公知技術であるので、本明細書に引用の図面においては、支柱１と取付部４を点線で示した。ポールトップ５はポールトップ取付部４を介して支柱１の先端に嵌設される。本考案になるポールトップのジョイント５０は、回動体５３と側壁部５２を有し、回動体５３は、側壁部５２に圧入された支軸５４の先端部によって、回動自在に軸支される。回動体５３は、横竿保持部５３３を備える。使用時は、回動体５３を第１爪部５３１が第１制止部５３１ａで制止されるまで回動する。その時、横竿６は、ほぼ水平位置になる。【００１２】  図２は、回動体５３を第２爪部５３２が第２制止部５３２ａで制止されるまで回動した時の正面図である。幟旗の設置時は、回動体５３を、回動して、横竿６が支柱とほぼ一直線に立てる。この状態で、チチ輪３１を支柱１にチチ輪３２を横竿６に懸架する。図７は、本考案ポールトップのジョイントを搭載したポールトップ５を幟旗に装着した応用例図である。チチ輪３３は、横竿６のチチ輪懸架部に懸架する。【００１３】  図３（Ａ）は、ジョイント５０の平面図であり、図３（Ｂ）は、図３（Ａ）のＡ−Ａ断面図である。支軸止まり穴５３５を有する回動体５３は、側壁部５２に挿設され、側壁部５２の中央に位置する支軸穴５４１に圧入された支軸５４の先端部によって、回動自在に軸支される。【００１４】  図４（Ａ）は、側壁部５２の正面図であり、図４（Ｂ）は、右側壁部５２の側面図であり、図４（Ｃ）は、図４（Ｂ）のＡ−Ａ断面図である。  基台５１と左右一対の側壁部５２は、ポールトップの取付部支持部材４１と一体に形成される。基台５１には、第１制止部５３１ａおよび第２制止部５３２ａを設け、側壁部５２には、それぞれ支軸穴５４１を設ける。左右両側壁部５２の大きさは横幅２５ｍｍ奥行き２５ｍｍ、対角線上で３０ｍｍであり、支柱の最も太い部分に比しても小さい。このことはチチ輪の通りやすさの裏付けとなる。【００１５】  図５（Ａ）は、回動体５３の正面図であり、図５（Ｂ）は、回動体５３の右側面図である。回動体５３には、第１爪部５３１、第２爪部５３２、横竿保持部５３３および両面中央に支軸止まり穴５３５を設け、横竿保持部５３３には、横竿止まり穴５３４を設ける。横竿止まり穴５３４は、その中心線が支軸止まり穴５３５の軸心の延長線と交差するように配設するので横竿６の回動中心は、支柱１の延長線上にある。
回動体５３の大きさは、縦、横とも２５ｍｍ厚み１２ｍｍである。横竿保持部５３３の長さは２０ｍｍ、断面は、高さ１７ｍｍ幅１２ｍｍである。支軸止まり穴５４２の直径は、７．５ｍｍ、深さは、２．５ｍｍ、横竿止まり穴５３４の断面は、横４．５ｍｍ、縦７．５ｍｍ、奥行きは、４４ｍｍである。【００１６】  図６は、図１のＡ−Ａ断面図である。本図は、側壁部５２に圧入された支軸５４の先端が、回動体５３に穿孔された支軸止まり穴５３５に緩挿されている状態と、横竿６が横竿止まり穴５３４に挿入されている状態を示す。横竿は、チチ輪懸架部が上になるように，横竿止まり穴５３４に挿入される。横竿は横竿保持部５３３から後ろに抜け出すことはなく、回動体５３を回動しても横竿６の後方が邪魔になることはないという効果もある。支軸５４は、鍔部の直径１０．５ｍｍ厚さ２．５ｍｍ軸径７．５ｍｍ長さ９ｍｍである。
【符号の説明】
【００１７】１  支柱
２  幟旗本体
３  チチ輪（３１，３２，３３）
４  ポールトップの取付部
４１  ポールトップの取付部支持部材
５  ポールトップ
５０  ジョイント
５１  基台
５２  側壁部
５３  回動体
５３１  第１爪部
５３１ａ  第１制止部
５３２  第２爪部
５３２ａ  第２制止部
５３３  横竿保持部
５３４  横竿止まり穴
５３５  支軸止まり穴
５４  支軸
５４１  支軸穴
６  横竿
【図１】
0003198645.tif 000003
【図２】
0003198645.tif 000004
【図３】
0003198645.tif 000005
【図４】
0003198645.tif 000006
【図５】
0003198645.tif 000007
【図６】
0003198645.tif 000008
【図７】
0003198645.tif 000009